(57)【要約】【課題】  植物の植え付け間隔を簡易に設定でき、その育成状況に合わせて複数の植物を簡易に安定保持できる添え木を得ること。【解決手段】支持部を所定間隔で複数形成した横添え木本体を直線状で所定長さに形成し、少なくとも一からなる該横添え木本体の両端近傍で支持する支柱体を設け、また該支柱体にコイルバネ状の挟持部を設けると共にその両端部から延伸させて支柱部を形成し、該両端部の支柱部を略ハの字状に開脚可能に形成して支持する添え木。【選択図】  図１
2011234670.tif 000002
【特許請求の範囲】
【請求項１】
苗木など育成する野菜、花など植物の茎、枝を横位置の所定間隔で保持できるように、直線部と支持部を所定間隔で複数繰り返し形成した直線状で所定長さの横添え木本体であって、少なくとも一からなる該横添え木本体の両端近傍で支持する支柱体を設けたことを特徴とする添え木。
【請求項２】
請求項１記載の支柱体が、コイルバネ状の挟持部を設けると共にその両端部から延伸させて支柱部を形成し、該両端部の支柱部が略ハの字状に開脚可能に形成された添え木。
【発明の詳細な説明】
【技術分野】
【０００１】
本発明は、プランターの花又は露地栽培の野菜などの複数の植物を支持する添え木とその植付け間隔の設定に関する。
【背景技術】
【０００２】
従来のプランターの花又は露地栽培の野菜などの植物が倒れないように支持するのに使用する添え木は、該植物の茎の近傍に支柱を立て該支柱と茎を紐などで固定して使用している。
【０００３】
また、露地栽培の野菜又は花などの植物の植付けの間隔を決めるのに、予め植付けする所定間隔に印を付けた棒又は紐をその畑の畦などに載置して、その棒又は紐の印を基準に植付け、またプランターの場合は、該プランターの長さを２又は３分割などした目分量で行っていた。
【０００４】
而して、添え木に関連する先願技術として、支柱にあらかじめ渡した横棒に添え木植物補強固定具８を設置し、その添え木植物補強固定具８の切れ目６より植物を挟み込み固定する実施例を示す「添え木植物補強固定具」がある。（例えば、特許文献１参照）
【０００５】
また、他の先願技術として、穴１ｄを設けた支柱１に輪かん２を保持し、該輪かん２で植木３の幹を保持する実施例を示す「添え木」がある。（例えば、特許文献２参照）
【先行技術文献】
【特許文献】
【０００６】
【特許文献１】実用新案登録第３１５２９６０号公報
【特許文献２】実用新案登録第３１５２８０４号公報
【発明の概要】
【発明が解決しようとする課題】
【０００７】
従来、プランターの花又は露地栽培の野菜などの植物が倒れないように使用する添え木は、その植物１本１本にそれぞれ添え木を立てて使用するので、その植物の数だけ添え木が必要で、また植物の成長に合わせて、保持する位置の移動又は追加でその添え木に紐などで括り付けることが必要で、手間の掛かる繁雑な作業となり、その紐などで保持するのに簡易に移動又は追加できるものが待たれていた。
【０００８】
また、植え付け間隔を決めるのに、予め所定間隔に印を付けた棒又は紐を用意する必要があり、そのような棒又は紐を用意することなく、簡易に所定間隔で植え付けできると共に添え木として使用できるものが待たれていた。
【０００９】
而して、開示される特許文献１の「添え木植物補強固定具」は、一本の植物を支柱又は横棒に設置した木植物補強固定具８で固定するとしているので、従来品と同様、その植物１本１本にそれぞれ添え木を立てて使用する必要があるので、その植物の数だけ支柱又は横棒が必要であり、また手間の掛かる繁雑な作業であった。
【００１０】
而して、開示される特許文献２の「添え木」は、支柱１に保持された輪かん２で植木３の幹を保持しているので、上述特許文献１及び従来品と同様、その植付けされた植物１本１本にそれぞれ添え木を立てて使用する必要があるので、その植物の数だけ支柱１が必要で、手間の掛かる繁雑な作業であった。
【課題を解決するための手段】
【００１１】
本発明は、上記課題解決を有効に達成するために、第１の解決手段として、直線部と支持部を所定間隔で複数、繰返し形成した直線状で所定長さの横添え木本体であって、少なくとも一からなる該横添え木本体の両端近傍で支持する支柱体を設けたことにより、
少なくとも一からなる横添え木本体で複数の植物を支持するとしている。
【００１２】
また、第２の解決手段として、支柱体のコイルバネ状の挟持部からそれぞれ支柱部が略ハの字状に該支柱部の両端部が開脚可能に形成するとしたことにより、
支柱体で横添え木本体を簡易に安定させて支持するとしている。
【発明の効果】
【００１３】
本発明は、上述したそれぞれの手段によって有効な効果が得られるようにしたもので、特に、第１の解決手段の苗木など育成する野菜、花など植物の茎、枝を横位置の所定間隔で保持できるように、直線部と支持部を所定間隔で複数繰返し形成した直線状で所定長さの横添え木本体であって、少なくとも一からなる該横添え木本体の両端近傍で支持する支柱体を設けたことにより、
横添え木本体一本で複数の植物を保持ができ、その保持は予め複数の植物の理想的生育環境の間隔で設定して育成できるので、育成効果が大きく手間の掛かる繁雑な作業も必要なくなる。
【００１４】
また、植物が生長して支持する位置を変更する場合、添え木位置を上方に移動させるだけで、一度に複数の植物の支持位置を変更でき、さらに追加で横添え木本体を該成長に合わせ支持することで、これも横添え木本体一本で複数の植物を支持でき、手間の掛かる繁雑な作業も必要なくなる。
【００１５】
さらに、横添え木本体には複数の支持部が所定間隔で形成されているので、上述したように植物の苗など植付け時に、該所定間隔で植付け間隔の設定が、該当する植物の理想的生育環境の間隔を選んで設定でき、その位置を基準に植付けすることで、該間隔を計ることなく簡易に植付けでき、よってその植付け間隔の設定など手間の掛かる繁雑な作業も必要なくなる。
【００１６】
また、第２の解決手段の支柱体が、コイルバネ状の挟持部を設けると共にその両端部から延伸させて支柱部を形成し、該両端部の支柱部が略ハの字状に開脚可能に形成するとしたことにより、
支柱体が略ハの字状に開脚して横添え木本体を支持するので、横添え木本体を介して植物を安定して支持させることができ、また植物の大きさ、樹勢に合わせて横添え木本体の所要部に支柱体を簡易に追加投入でき、且つ該横添え木本体をコイルバネ状の挟持部に挿入するだけで簡易に安定して追加保持できるので、該支柱体は、全体として横添え木本体を介して、使用状況に合わせて簡易に植物を安定して支持できる。
よって、これらのことから本発明は、実用上著大な効果を奏する。
【図面の簡単な説明】
【００１７】
【図１】本発明の実施例の横添え木本体の斜視図である。
【図２】本発明の使用状態を示す正面図である。
【図３】本発明の使用状態を示す要部の平面断面図である。
【図４】本発明の使用状態を示す要部の側面図である。
【図５】本発明の保持部材の使用状態を示す要部の側面断面図である。
【図６】本発明の保持部材の平面図である。
【図７】本発明のその他の実施例の横添え木本体の使用状態を示す要部の正面図である。
【発明を実施するための形態】
【００１８】
直線部と支持部を所定間隔で複数繰り返し形成した直線状で所定長さの横添え木本体であって、少なくとも一からなる該横添え木本体の両端近傍で支持する支柱体を設け、また該支柱体にコイルバネ状の挟持部を設けると共にその両端部から延伸させて支柱部を形成し、該両端部の支柱部が略ハの字状に開脚可能に形成して支持するとしたことにより、植物の植付け間隔を簡易に設定でき、その育成状況に合わせて複数の植物を安定保持できる添え木の提供を実現させた。
【実施例】
【００１９】
本発明の実施例を図面に基づいて説明すると、図１において、１は横添え木本体で、該横添え木本体１は、垂直断面上部片側にリブを形成した長手方向に連続する長板状で、該長板を直線部と平面略U字状の支持部２，２，…を所定間隔で繰り返し連続して所定長さに形成し、その所定長さの設定でプランター３の場合、そのプランター３に合わせた長さ、又は露地の畑などに使用する場合、扱いやすい長さで継ぎ足して使用できる程度の長さ（略１〜２ｍ程度）に形成する。
【００２０】
そして、図２に示すプランター３に使用した実施例において、植物４，４（一例の菊を図示する）の茎５，５を、対向当接する横添え木本体１，１の略U字状の支持部２，２内で、遊嵌状に保持すると共に開脚支柱体６，６と棒状の支柱７，７及び保持部材８，８とで、該横添え木本体１，１をその左右端部で支持した状態で植物４，４を育成し、該植物４，４が成長したとき、該茎５，５に沿って、横添え木本体１，１を上方にずらして支持させ、またそのときその葉又は枝が邪魔になるときは、一旦、対面する横添え木本体１，１を離して上方に付け替え使用し又は横添え木本体１，１をさらに上方に追加して支持させる。
【００２１】
而して、上述した横添え木本体１，１の支持において、図２、図３及び図４に示すように、開脚支柱体６は、開脚支点部に挟持部９を所定ピッチの間隔を有するコイルバネ状で形成し、該挟持部９の該所定ピッチ間で、上記横添え木本体１，１の支持部２，２を対向させた状態で挟持して、該横添え木本体１，１をその左右の端部近傍で支持している。
【００２２】
また、該支柱７，７は、細棒状で保持部材８，８と共に該横添え木本体１，１を、その左右端部近傍で支持している。
【００２３】
そこで、該保持部材８は、図５及び図６に示すように側面略コの字状で、該略コの字状の内側を嵌合保持部１０として形成し、該嵌合保持部１０の底面に切り目を入れて形成される切り目片１１，１１，…を形成し、該切り目片１１，１１，…に支柱７を挿通することで、挿通口１２として形成される。
【００２４】
そして、該保持部材８，８が、支柱７，７と該横添え木本体１，１と共に保持する状態において、図５に示すように、まず支柱７を保持部材８の切り目片１１，１１，…から挿通口１２に挿通させると共に該横添え木本体１，１の略U字状の支持部２，２を、該保持部材８のコの字状の嵌合保持部１０に圧入し、該嵌合保持部１０で略U字状の支持部２，２と共に支柱７を支持している。
【００２５】
なお、保持部材８の切り目片１１，１１，…は、図５に示すように挿通口１２に支柱７を挿通させると該切り目片１１，１１，…それぞれが支柱７を弾発して保持するので、横添え木本体１，１の支持部２，２で支持された植物４，４が風などで揺れ、その外力が保持部材８，８を介して支柱７に伝わるとき、該切り目片１１，１１，…の弾発保持で外力を吸収して支柱７及び該植物４，４にもその影響を弱める効果が得られる。
【００２６】
而して、上述開脚支柱体６の挟持部９が横添え木本体１，１を支持する位置において、該横添え木本体１，１をその左右の端部近傍で支持するとしているが、図７に示すように、横添え木本体１，１の略U字状の突出した支持部２，２のその突出部分に、挟持部９のコイルバネ状の輪の部分を挿入して、そこで保持することで、上下左右の外力に対しても該挟持が容易に外れず、また両端部でも安定して保持できる。
【００２７】
なお、図３及び図４に例示するように、開脚支柱体６と支柱７の両方で横添え木本体１，１を保持しているが、開脚支柱体６で保持する場合は、保持部材８及び支柱７を特に使用しなくともその横添え木本体１，１を保持できる。
【００２８】
また、横添え木本体１，１及び支柱７を保持する保持部材８の代わりに、紐で縛っても従来のように煩雑ではあるが支持は可能であり、さらに横添え木本体１，１の支持部２，２にて植物４を遊嵌状に挟持しているが、上述同様、一つの横添え木本体１の支持部２に従来のように植物４を紐で縛っても可能であり、それは植物４の育成課程の樹勢又は種類に対応して適宜変更して使用するが、それらについて特に図示は省略した。
【００２９】
さらに、開脚支柱体６の挟持部９で、横添え木本体１の左右端の支持部２より端部側の、横添え木本体１若しくは該支持部２を挟持するとしているが、その支持部２より内側の横添え木本体１を挟持することでより外れにくくなり、適宜、横添え木本体１を挟持する部分を変更しても好ましい。
【００３０】
また、植物４の大きさ、樹勢に合わせて横添え木本体１の所要部に開脚支柱体６を追加投入して、該挟持部９で簡易に安定して支持することで、全体として横添え木本体１を介して植物４を安定させて支持させることができるが、その追加投入の図示は省略した。
【産業上の利用可能性】
【００３１】
本発明の添え木は、植物の種類及び育成状況に合わせて適宜組み合わせ変更し、且つ複数の植物を支持する部分を一本の横添え木本体１で一度に移動可能に支持させる添え木とその植付け間隔の設定用に使用することができる。
【符号の説明】
【００３２】
１  横添え木本体
２  支持部
４  植物
５  茎
６  開脚支柱体
７  支柱。
【図１】
2011234670.tif 000003
【図３】
2011234670.tif 000004
【図２】
2011234670.tif 000005
【図４】
2011234670.tif 000006
【図５】
2011234670.tif 000007
【図６】
2011234670.tif 000008
【図７】
2011234670.tif 000009
【手続補正書】
【提出日】平成22年8月28日(2010.8.28)
【手続補正１】
【補正対象書類名】特許請求の範囲
【補正対象項目名】全文
【補正方法】変更
【補正の内容】
【特許請求の範囲】
【請求項１】
苗木など育成する野菜、花など植物の茎、枝を横位置の所定間隔で保持できるように、直線部と平面略U字状の支持部を所定間隔で複数繰り返し形成した直線状で所定長さの横添え木本体であって、一対の横添え木本体の該支持部で、植物の茎、枝を遊嵌状に保持できるように、該支持部を対向併設配置すると共に該一対の横添え木本体の両端近傍を、棒状の支柱又は開脚支柱体又はその双方の支柱体で支持し、また該開脚支柱体で横添え木本体を狭持状に支持できるように、該支柱体の略中央部にコイルバネ状の挟持部を設けると共にその両端部から延伸させて支柱部とし、該両端部の支柱部が略ハの字状に開脚可能に形成したことを特徴とする添え木。
【手続補正２】
【補正対象書類名】明細書
【補正対象項目名】全文
【補正方法】変更
【補正の内容】
【発明の詳細な説明】
【技術分野】
【０００１】
本発明は、プランターの花又は露地栽培の野菜などの複数の植物を支持する添え木とその植付け間隔の設定に関する。
【背景技術】
【０００２】
従来のプランターの花又は露地栽培の野菜などの植物が倒れないように支持するのに使用する添え木は、該植物の茎の近傍に支柱を立て該支柱と茎を紐などで固定して使用している。
【０００３】
また、露地栽培の野菜又は花などの植物の植付けの間隔を決めるのに、予め植付けする所定間隔に印を付けた棒又は紐をその畑の畦などに載置して、その棒又は紐の印を基準に植付け、またプランターの場合は、該プランターの長さを２又は３分割などした目分量で行っていた。
【０００４】
而して、添え木に関連する先願技術として、支柱にあらかじめ渡した横棒に添え木植物補強固定具８を設置し、その添え木植物補強固定具８の切れ目６より植物を挟み込み固定する実施例を示す「添え木植物補強固定具」がある。（例えば、特許文献１参照）
【０００５】
また、他の先願技術として、穴１ｄを設けた支柱１に輪かん２を保持し、該輪かん２で植木３の幹を保持する実施例を示す「添え木」がある。（例えば、特許文献２参照）
【先行技術文献】
【特許文献】
【０００６】
【特許文献１】実用新案登録第３１５２９６０号公報
【特許文献２】実用新案登録第３１５２８０４号公報
【発明の概要】
【発明が解決しようとする課題】
【０００７】
従来、プランターの花又は露地栽培の野菜などの植物が倒れないように使用する添え木は、その植物１本１本にそれぞれ添え木を立てて使用するので、その植物の数だけ添え木が必要で、また植物の成長に合わせて、保持する位置の移動又は追加でその添え木に紐などで括り付けることが必要で、手間の掛かる繁雑な作業となり、その紐などで保持するのに簡易に移動又は追加できるものが待たれていた。
【０００８】
また、植え付け間隔を決めるのに、予め所定間隔に印を付けた棒又は紐を用意する必要があり、そのような棒又は紐を用意することなく、簡易に所定間隔で植え付けできると共に添え木として使用できるものが待たれていた。
【０００９】
而して、開示される特許文献１の「添え木植物補強固定具」は、一本の植物を支柱又は横棒に設置した木植物補強固定具８で固定するとしているので、従来品と同様、その植物１本１本にそれぞれ添え木を立てて使用する必要があるので、その植物の数だけ支柱又は横棒が必要であり、また手間の掛かる繁雑な作業であった。
【００１０】
而して、開示される特許文献２の「添え木」は、支柱１に保持された輪かん２で植木３の幹を保持しているので、上述特許文献１及び従来品と同様、その植付けされた植物１本１本にそれぞれ添え木を立てて使用する必要があるので、その植物の数だけ支柱１が必要で、手間の掛かる繁雑な作業であった。
【課題を解決するための手段】
【００１１】
本発明は、上記課題解決を有効に達成するために、第１の解決手段として、直線部と平面略U字状の支持部を所定間隔で複数、繰返し形成した直線状で所定長さの横添え木本体であって、該支持部を対向併設配置すると共に一対の該横添え木本体の両端近傍を、棒状の支柱又は開脚支柱体又はその双方の支柱体で支持し、また該開脚支柱体で横添え木本体を狭持状に支持できるように、該支柱体の略中央部にコイルバネ状の挟持部を設けると共にその両端部から延伸させて支柱部とし、該両端部の支柱部が略ハの字状に開脚可能に形成したことにより、
併設配置する横添え木本体で、複数の植物の茎、枝を支持すると共に支柱体で横添え木本体を簡易に安定させて支持するとしている。
【発明の効果】
【００１２】
本発明は、上述したそれぞれの手段によって有効な効果が得られるようにしたもので、特に、第１の解決手段の苗木など育成する野菜、花など植物の茎、枝を横位置の所定間隔で保持できるように、直線部と平面略U字状の支持部を所定間隔で複数繰り返し形成した直線状で所定長さの横添え木本体であって、一対の横添え木本体の該支持部で、植物の茎、枝を遊嵌状に保持できるように、該支持部を対向併設配置すると共に該一対の横添え木本体の両端近傍を、棒状の支柱又は開脚支柱体又はその双方の支柱体で支持し、また該開脚支柱体で横添え木本体を狭持状に支持できるように、該支柱体の略中央部にコイルバネ状の挟持部を設けると共にその両端部から延伸させて支柱部とし、該両端部の支柱部が略ハの字状に開脚可能に形成したことにより、
一対の横添え木本体で複数の植物を保持ができ、その保持は予め複数の植物の理想的生育環境の間隔で設定して育成できるので、育成効果が大きく手間の掛かる繁雑な作業も必要なくなる。
【００１３】
また、植物が生長して支持する位置を変更する場合、添え木位置を上方に移動又は対向併設する横添え木本体を一端解き放ち再度、上方に移動、対向併設させるだけで、一度に複数の植物の支持位置を変更でき、さらに追加で横添え木本体を該成長に合わせ支持することで、これも一対の横添え木本体で複数の植物を支持でき、手間の掛かる繁雑な作業も必要なくなる。
【００１４】
さらに、横添え木本体には複数の支持部が所定間隔で形成されているので、上述したように植物の苗など植付け時に、該所定の植付け間隔が設定できるので、該当する植物の理想的生育環境の間隔を選んで設定でき、その支持部の位置を基準に植付けすることで、該間隔を計ることなく簡易に植付けでき、よってその植付け間隔の設定など手間の掛かる繁雑な作業も必要なくなる。
【００１５】
加えて、支柱体が略ハの字状に開脚して横添え木本体を支持するので、横添え木本体を介して植物を安定して支持させることができ、また植物の大きさ、樹勢に合わせて横添え木本体の所要部に支柱体を簡易に追加投入でき、且つ前記コイルバネ状の挟持部に対向併設する横添え木本体を挿入するだけで簡易に安定して追加保持できるので、該支柱体は、全体として横添え木本体を介して、使用状況に合わせて簡易に植物を安定して支持できる。
よって、これらのことから本発明は、実用上著大な効果を奏する。
【図面の簡単な説明】
【００１６】
【図１】本発明の実施例の横添え木本体の斜視図である。
【図２】本発明の使用状態を示す正面図である。
【図３】本発明の使用状態を示す要部の平面断面図である。
【図４】本発明の使用状態を示す要部の側面図である。
【図５】本発明の保持部材の使用状態を示す要部の側面断面図である。
【図６】本発明の保持部材の平面図である。
【図７】本発明のその他の実施例の横添え木本体の使用状態を示す要部の正面図である。
【発明を実施するための形態】
【００１７】
直線部と平面略U字状の支持部を所定間隔で複数繰り返し形成した直線状で所定長さの横添え木本体であって、一対の該横添え木本体として、該支持部を対向併設配置すると共に該横添え木本体をその両端近傍を支持する棒状体又は横添え木本体が狭持できるように、該支柱体の略中央部にコイルバネ状の挟持部を設けると共にその両端部から延伸させて支柱部を形成し、該両端部の支柱部が略ハの字状に開脚可能に形成して、該横添え木本体の両端近傍で支持するとしたことにより、植物の植付け間隔を簡易に設定でき、その育成状況に合わせて複数の植物を安定保持できる添え木の提供を実現させた。
【実施例】
【００１８】
本発明の実施例を図面に基づいて説明すると、図１において、１は横添え木本体で、該横添え木本体１は、垂直断面上部片側にリブを形成した長手方向に連続する長板状で、該長板を直線部と平面略U字状の支持部２，２，…を所定間隔で繰り返し連続して所定の長さに形成し、その所定の長さの設定は、プランター３の場合、そのプランター３に合わせた長さ、又は露地の畑などに使用する場合、扱いやすい長さで継ぎ足して使用できる程度の長さ（略１〜２ｍ程度）に形成する。
【００１９】
そして、図２に示すプランター３に使用した実施例において、植物４，４（一例の菊を図示する）の茎５，５を、対向当接する横添え木本体１，１の略U字状の支持部２，２内で、遊嵌状に保持すると共に開脚支柱体６，６と棒状の支柱７，７及び保持部材８，８とで、該横添え木本体１，１をその左右端部で支持した状態で植物４，４を育成し、該植物４，４が成長したとき、該茎５，５に沿って、横添え木本体１，１を上方にずらして支持させ、またそのときその葉又は枝が邪魔になるときは、一旦、対面する横添え木本体１，１を離して上方に付け替え使用し又は横添え木本体１，１をさらに上方に追加して支持させる。
【００２０】
而して、上述した横添え木本体１，１の支持において、図２、図３及び図４に示すように、開脚支柱体６は、開脚支点部に挟持部９を所定ピッチの間隔を有するコイルバネ状で形成し、該挟持部９の該所定ピッチ間で、上記横添え木本体１，１の支持部２，２を対向させた状態で挟持して、該横添え木本体１，１をその左右の端部近傍で支持している。
【００２１】
また、該支柱７，７は、細棒状で保持部材８，８と共に該横添え木本体１，１を、その左右端部近傍で支持している。
【００２２】
そこで、該保持部材８は、図５及び図６に示すように側面略コの字状で、該略コの字状の内側を嵌合保持部１０として形成し、該嵌合保持部１０の底面に切り目を入れて形成される切り目片１１，１１，…を形成し、該切り目片１１，１１，…に支柱７を挿通することで、挿通口１２として形成される。
【００２３】
そして、該保持部材８，８が、支柱７，７と該横添え木本体１，１と共に保持する状態において、図５に示すように、まず支柱７を保持部材８の切り目片１１，１１，…から挿通口１２に挿通させると共に該横添え木本体１，１の略U字状の支持部２，２を、該保持部材８のコの字状の嵌合保持部１０に圧入し、該嵌合保持部１０で略U字状の支持部２，２と共に支柱７を支持している。
【００２４】
なお、保持部材８の切り目片１１，１１，…は、図５に示すように挿通口１２に支柱７を挿通させると該切り目片１１，１１，…それぞれが支柱７を弾発して保持するので、横添え木本体１，１の支持部２，２で支持された植物４，４が風などで揺れ、その外力が保持部材８，８を介して支柱７に伝わるとき、該切り目片１１，１１，…の弾発保持で外力を吸収して支柱７及び該植物４，４にもその影響を弱める効果が得られる。
【００２５】
而して、上述開脚支柱体６の挟持部９が横添え木本体１，１を支持する位置において、該横添え木本体１，１をその左右の端部近傍で支持するとしているが、図７に示すように、横添え木本体１，１の略U字状の突出した支持部２，２のその突出部分に、挟持部９のコイルバネ状の輪の部分を挿入して、そこで保持することで、上下左右の外力に対しても該挟持が容易に外れず、また両端部でも安定して保持できる。
【００２６】
なお、図３及び図４に例示するように、開脚支柱体６と支柱７の両方で横添え木本体１，１を保持しているが、開脚支柱体６で保持する場合は、保持部材８及び支柱７を特に使用しなくともその横添え木本体１，１を保持できる。
【００２７】
また、横添え木本体１，１及び支柱７を保持する保持部材８の代わりに、紐で縛っても従来のように煩雑ではあるが支持は可能であり、さらに横添え木本体１，１の支持部２，２にて植物４を遊嵌状に挟持しているが、上述同様、一つの横添え木本体１の支持部２に従来のように植物４を紐で縛っても可能であり、それは植物４の育成課程の樹勢又は種類に対応して適宜変更して使用するが、それらについて特に図示は省略した。
【００２８】
さらに、開脚支柱体６の挟持部９で、横添え木本体１の左右端の支持部２より端部側の、横添え木本体１若しくは該支持部２を挟持するとしているが、その支持部２より内側の横添え木本体１を挟持することでより外れにくくなり、適宜、横添え木本体１を挟持する部分を変更しても好ましい。
【００２９】
また、植物４の大きさ、樹勢に合わせて横添え木本体１の所要部に開脚支柱体６を追加投入して、該挟持部９で簡易に安定して支持することで、全体として横添え木本体１を介して植物４を安定させて支持させることができるが、その追加投入の図示は省略した。
【産業上の利用可能性】
【００３０】
本発明の添え木は、植物の種類及び育成状況に合わせて適宜組み合わせ変更し、且つ複数の植物を支持する部分を一本の横添え木本体１で一度に移動可能に支持させる添え木とその植付け間隔の設定用に使用することができる。
【符号の説明】
【００３１】
１  横添え木本体
２  支持部
４  植物
５  茎
６  開脚支柱体
７  支柱。
【手続補正書】
【提出日】平成22年11月6日(2010.11.6)
【手続補正１】
【補正対象書類名】特許請求の範囲
【補正対象項目名】全文
【補正方法】変更
【補正の内容】
【特許請求の範囲】
【請求項１】
苗木など育成する野菜、花など植物の茎、枝を横位置の所定間隔で保持できるように、直線部と平面略U字状の支持部を所定間隔で複数繰り返し形成した直線状で所定長さの横添え木本体であって、一対の横添え木本体の該支持部で、植物の茎、枝を遊嵌状に保持できるように、該支持部を対向併設配置すると共に該一対の横添え木本体の両端近傍を、開脚支柱体で支持し、または棒状の支柱及び保持部材で支持し、または開脚支柱体、棒状の支柱及び保持部材で支持し、
また該開脚支柱体で横添え木本体を狭持状に支持できるように、該開脚支柱体の略中央部にコイルバネ状の挟持部を設けると共にその両端部から延伸させて支柱部とし、該支柱部が略ハの字状に開脚可能に形成したことを特徴とする添え木。
【手続補正２】
【補正対象書類名】明細書
【補正対象項目名】００１１
【補正方法】変更
【補正の内容】
【００１１】
本発明は、上記課題解決を有効に達成するために、第１の解決手段として、直線部と平面略U字状の支持部を所定間隔で複数、繰返し形成した直線状で所定長さの横添え木本体であって、該支持部を対向併設配置すると共に一対の該横添え木本体の両端近傍を、開脚支柱体で支持し、または棒状の支柱及び保持部材で支持し、または開脚支柱体、棒状の支柱及び保持部材で支持し、また該開脚支柱体で横添え木本体を狭持状に支持できるように、該開脚支柱体の略中央部にコイルバネ状の挟持部を設けると共にその両端部から延伸させて支柱部とし、該支柱部が略ハの字状に開脚可能に形成したことにより、
併設配置する横添え木本体で、複数の植物の茎、枝を支持すると共に支柱体で横添え木本体を簡易に安定させて支持するとしている。
【手続補正３】
【補正対象書類名】明細書
【補正対象項目名】００１２
【補正方法】変更
【補正の内容】
【００１２】
本発明は、上述したそれぞれの手段によって有効な効果が得られるようにしたもので、特に、第１の解決手段の苗木など育成する野菜、花など植物の茎、枝を横位置の所定間隔で保持できるように、直線部と平面略U字状の支持部を所定間隔で複数繰り返し形成した直線状で所定長さの横添え木本体であって、一対の横添え木本体の該支持部で、植物の茎、枝を遊嵌状に保持できるように、該支持部を対向併設配置すると共に該一対の横添え木本体の両端近傍を、開脚支柱体で支持し、または棒状の支柱及び保持部材で支持し、または開脚支柱体、棒状の支柱及び保持部材で支持し、また該開脚支柱体で横添え木本体を狭持状に支持できるように、該開脚支柱体の略中央部にコイルバネ状の挟持部を設けると共にその両端部から延伸させて支柱部とし、該支柱部が略ハの字状に開脚可能に形成したことにより、
一対の横添え木本体で複数の植物を保持ができ、その保持は予め複数の植物の理想的生育環境の間隔で設定して育成できるので、育成効果が大きく手間の掛かる繁雑な作業も必要なくなる。
【手続補正書】
【提出日】平成23年1月12日(2011.1.12)
【手続補正１】
【補正対象書類名】特許請求の範囲
【補正対象項目名】全文
【補正方法】変更
【補正の内容】
【特許請求の範囲】
【請求項１】
苗木など育成する野菜、花など植物の茎、枝を横位置の所定間隔で保持できるように、直線部と平面略U字状の支持部を所定間隔で複数繰り返し形成した直線状で所定長さの横添え木本体であって、一対の横添え木本体の該支持部で、植物の茎、枝を遊嵌状に保持できるように、該支持部を対向併設配置すると共に該一対の横添え木本体の両端近傍を、開脚支柱体で支持し、または開脚支柱体、棒状の支柱及び保持部材で支持し、
また該開脚支柱体で横添え木本体を狭持状に支持できるように、該開脚支柱体の略中央部にコイルバネ状の挟持部を設けると共にその両端部から延伸させて支柱部とし、該支柱部が略ハの字状に開脚可能に形成したことを特徴とする添え木。
【手続補正２】
【補正対象書類名】明細書
【補正対象項目名】００１１
【補正方法】変更
【補正の内容】
【００１１】
本発明は、上記課題解決を有効に達成するために、第１の解決手段として、直線部と平面略U字状の支持部を所定間隔で複数、繰返し形成した直線状で所定長さの横添え木本体であって、該支持部を対向併設配置すると共に一対の該横添え木本体の両端近傍を、開脚支柱体で支持し、または開脚支柱体、棒状の支柱及び保持部材で支持し、また該開脚支柱体で横添え木本体を狭持状に支持できるように、該開脚支柱体の略中央部にコイルバネ状の挟持部を設けると共にその両端部から延伸させて支柱部とし、該支柱部が略ハの字状に開脚可能に形成したことにより、
併設配置する横添え木本体で、複数の植物の茎、枝を支持すると共に支柱体で横添え木本体を簡易に安定させて支持するとしている。
【手続補正３】
【補正対象書類名】明細書
【補正対象項目名】００１２
【補正方法】変更
【補正の内容】
【００１２】
本発明は、上述したそれぞれの手段によって有効な効果が得られるようにしたもので、特に、第１の解決手段の苗木など育成する野菜、花など植物の茎、枝を横位置の所定間隔で保持できるように、直線部と平面略U字状の支持部を所定間隔で複数繰り返し形成した直線状で所定長さの横添え木本体であって、一対の横添え木本体の該支持部で、植物の茎、枝を遊嵌状に保持できるように、該支持部を対向併設配置すると共に該一対の横添え木本体の両端近傍を、開脚支柱体で支持し、または開脚支柱体、棒状の支柱及び保持部材で支持し、また該開脚支柱体で横添え木本体を狭持状に支持できるように、該開脚支柱体の略中央部にコイルバネ状の挟持部を設けると共にその両端部から延伸させて支柱部とし、該支柱部が略ハの字状に開脚可能に形成したことにより、
一対の横添え木本体で複数の植物を保持ができ、その保持は予め複数の植物の理想的生育環境の間隔で設定して育成できるので、育成効果が大きく手間の掛かる繁雑な作業も必要なくなる。